(57)【要約】【課題】搬送装置の下流に画像形成装置をもつ搬送装置があり、搬送装置の給紙積載部上部に搬送部がある装置において、効率良くかつ安全にジャム紙の除去作業が可能な機械を提供する。【解決手段】用紙搬送部１を引き出すことで機能するストッパ５を有し、引き出した用紙搬送部１を固定する。ストッパ５は、レール６内に配置して機械の小型化に寄与する。ストッパ５は、板バネやゴム等の弾性、バネ性を有するものがよい。ストッパ５の搬送部側係合部５ａがレール側係合部６ａを乗り越えた後、先端の段部５ｂがレール側係合部６ａのレール引出し方向側に位置し、延長部５ｃがレール側係合部６ａの先端部上に位置する。この状態で用紙搬送部１が簡単には装置本体３内側へ戻らないようにストッパ力Ｆｓが用紙搬送部１の引き出し方向と同方向へ働き、ガイド板開力Ｆｘ等の各力を後述のように設定する。【選択図】図６
2009057156.tif 000002
【特許請求の範囲】
【請求項１】
装着対象となる装置に対して挿抜可能な用紙搬送部を備え、該用紙搬送部が、挿入方向奥側に回動支点を有し前記用紙搬送部の上面を開閉可能とするガイド板と、該用紙搬送部を移動可能とするレールを備えた搬送装置において、前記用紙搬送部を引き出した時に該用紙搬送部が前記装着対象となる装置側へ戻る動作を阻止するためのストッパを備え、該ストッパが、前記ガイド板の開時に前記用紙搬送部が戻るように移動することを阻止する力を発揮することを特徴とする搬送装置。
【請求項２】
請求項１の搬送装置において、前記ストッパを前記レール内に備えたことを特徴とする搬送装置。
【請求項３】
請求項１または２の搬送装置において、引き出した前記用紙搬送部を前記装着対象となる装置に対して収納するに伴って前記ストッパが解除されることを特徴とする搬送装置。
【請求項４】
請求項１から３のいずれかの搬送装置において、前記ガイド板を９０°以上開くことができ、前記用紙搬送部を収納するに伴って前記装着対象となる装置等に当接し、前記ガイド板の閉動作が開始されるようにしてなることを特徴とする搬送装置。
【請求項５】
請求項１から４のいずれかの搬送装置において、前記ガイド板の開いた際に前記装着対象となる装置等に当接し得る面側に突状部を設けてなることを特徴とする搬送装置。
【請求項６】
請求項１から５のいずれかの搬送装置において、前記ガイド板閉時の衝撃等を緩和するためのヒンジを前記ガイド板の開閉支点に用いてなることを特徴とする搬送装置。
【請求項７】
請求項１から６のいずれかの搬送装置において、前記用紙搬送部に対して搬送部収納力Ｆｏが印加されていない限り、前記ガイド板を開く力の分力のうち前記用紙搬送部を前記装着対象となる装置側に向いて掛かる分力Ｆｘと、前記ストッパによるストッパ力Ｆｓとの関係が、｜Ｆｘ｜＜｜Ｆｓ｜の関係を満たすようにしてなることを特徴とする搬送装置。
【請求項８】
請求項７の搬送装置において、前記分力Ｆｘと、前記ストッパ力Ｆｓと、前記搬送部収納力Ｆｏの関係が、｜Ｆｘ｜＜｜Ｆｓ｜＜｜Ｆｏ｜の関係を満たすようにしてなることを特徴とする搬送装置。
【請求項９】
請求項１から８のいずれかの搬送装置を用いてなることを特徴とする画像形成装置。
【発明の詳細な説明】
【技術分野】
【０００１】
本発明は電子写真式の複写機、プリンタ、ファクシミリやインクジェットプリンタ、これらの二以上の機能を併せ持つ複合機等の画像形成装置に装着して使用する搬送装置と、これを用いる画像形成装置であって、効率良くかつ安全にジャム紙の除去作業が可能なものに関する。
【背景技術】
【０００２】
上述のような画像形成装置では、ジャム処理操作時に略水平に配された搬送部（例えばトレイ状のもの）を引き出し、下ガイド板を開いてジャム紙を除去可能にするタイプの場合、ユーザーの視認性が悪いばかりか、姿勢が低くなるため、ユーザーの負荷を軽減する必要性が高い。一方、上ガイド板を開けてジャム紙を除去可能にするタイプの場合、上ガイド板の開支点が画像形成装置本体の奥側にあることから、上ガイド板の開動作で誤って引き出し部が画像形成装置本体内に収納されてしまう恐れがあり、作業性が悪い。さらに、画像形成装置における画像形成の高生産性化に伴い、画像形成部等が大型化かつ複雑化し、また給紙装置の大容量化も望まれている。
【０００３】
しかし、ユーザービリティの観点から、操作部の位置や画像形成装置の本体高さは大きく変更することが難しい。従って、用紙搬送路等の開閉部を開閉する開閉装置をいかに安全かつ薄型化、小型化するかが非常に重要な課題となってきている。
【０００４】
特許文献１においては、画像読取装置として機械奥側に開閉支点を配し視認性を改善したものがあるが、開閉動作の安全性には配慮していない。特許文献２においては、回転軸にダンパを有しているが閉時ではく開時にダンパが機能する技術が開示されているが十分ではない。また特許文献３においては、給紙カセットとともに用紙搬送経路が引き出される際に自動的に搬送経路は開放されるが、引き出されたユニットの固定機構がないために問題が解決できていない。
【０００５】
【特許文献１】特開２００６−２７３５３５号公報
【特許文献２】特願２００５−２８３９２１号公報
【特許文献３】特開２００２−１５４６７８号公報
【発明の開示】
【発明が解決しようとする課題】
【０００６】
そこで本発明では、用紙を収納する手段とその収納手段と一体にした搬送装置と、前記搬送装置の上流にさらに搬送装置をもつ装備と搬送装置の下流に画像形成装置をもつ搬送装置があり、搬送装置の給紙積載部上部に搬送部がある装置において、効率良くかつ安全にジャム紙の除去作業が可能な機械を提供することを目的とし、薄型化、小型化が可能で、かつ可動側の衝撃による破壊防止及び操作者の怪我防止が可能な開閉部を有する搬送装置及び画像形成装置を提供することを目的とするものである。
【課題を解決するための手段】
【０００７】
本発明の搬送装置のうち請求項１に係るものは、上記目的を達成するために、装着対象となる装置に対して挿抜可能な用紙搬送部を備え、該用紙搬送部が、挿入方向奥側に回動支点を有し前記用紙搬送部の上面を開閉可能とするガイド板と、該用紙搬送部を移動可能とするレールを備えた搬送装置において、前記用紙搬送部を引き出した時に該用紙搬送部が前記装着対象となる装置側へ戻る動作を阻止するためのストッパを備え、該ストッパが、前記ガイド板の開時に前記用紙搬送部が戻るように移動することを阻止する力を発揮することを特徴とする。
【０００８】
請求項２に係るものは、請求項１の搬送装置において、前記ストッパを前記レール内に備えたことを特徴とする。
【０００９】
請求項３に係るものは、請求項１または２の搬送装置において、引き出した前記用紙搬送部を前記装着対象となる装置に対して収納するに伴って前記ストッパが解除されることを特徴とする。
【００１０】
請求項４に係るものは、請求項１から３のいずれかの搬送装置において、前記ガイド板を９０°以上開くことができ、前記用紙搬送部を収納するに伴って前記装着対象となる装置等に当接し、前記ガイド板の閉動作が開始されるようにしてなることを特徴とする。
【００１１】
請求項５に係るものは、請求項１から４のいずれかの搬送装置において、前記ガイド板の開いた際に前記装着対象となる装置等に当接し得る面側に突状部を設けてなることを特徴とする。
【００１２】
請求項６に係るものは、請求項１から５のいずれかの搬送装置において、前記ガイド板閉時の衝撃等を緩和するためのヒンジを前記ガイド板の開閉支点に用いてなることを特徴とする。
【００１３】
請求項７に係るものは、請求項１から６のいずれかの搬送装置において、前記用紙搬送部に対して搬送部収納力Ｆｏが印加されていない限り、前記ガイド板を開く力の分力のうち前記用紙搬送部を前記装着対象となる装置側に向いて掛かる分力Ｆｘと、前記ストッパによるストッパ力Ｆｓとの関係が、｜Ｆｘ｜＜｜Ｆｓ｜の関係を満たすようにしてなることを特徴とする。
【００１４】
請求項８に係るものは、請求項７の搬送装置において、前記分力Ｆｘと、前記ストッパ力Ｆｓと、前記搬送部収納力Ｆｏの関係が、｜Ｆｘ｜＜｜Ｆｓ｜＜｜Ｆｏ｜の関係を満たすようにしてなることを特徴とする。
【００１５】
請求項９に係る画像形成装置は、請求項１から８のいずれかの搬送装置を用いてなることを特徴とする。
【発明の効果】
【００１６】
本発明は画像形成装置などで用いる搬送装置が備える用紙搬送部を、画像形成装置等の装着対象の装置から引き出した時に自動的にその位置を固定することを可能とすると共に、ジャム紙除去等の所望の動作、作業を行った後は安全かつ容易に用紙収納部を装着対象の装置へ収納することができる。
【発明を実施するための最良の形態】
【００１７】
以下本発明を実施するための最良の形態を、図に示す実施例を参照して説明する。なお本明細書においては、複写機などの画像形成装置単体のみならず、画像形成装置に給紙装置等を外部装置として付加してシステムユニット化したものをも画像形成装置と称する。また画像形成装置に給紙装置を内蔵したものも対象とすることは勿論である。
【実施例１】
【００１８】
図１は本発明を適用する対象となる画像形成装置の全体の概略図である。本実施例では、画像形成装置５０の図で右側（用紙搬送方向で上流側）に第１の給紙装置１０と第２の給紙装置２０が配置されてシステムユニット化してある。第１給紙装置１０には、給紙トレイ１１、１２からの用紙を画像形成装置５０に用紙を送り出す用紙搬送路１４と、第２給紙装置２０を連結する場合に、第２給紙装置２０から用紙搬送路１４へ合流する中継搬送路１５がある。中継搬送路１５は給紙トレイ１１の上部まで搬送する縦搬送部１５ｂと、給紙トレイ１１上部を搬送する水平搬送路１５ａからなる。給紙トレイ１１と給紙トレイ１２間を水平に搬送させることも可能であり、その場合、縦搬送部１５ｂが水平搬送路に取って代わることも可能である。なお、この第１給紙装置１０の上部には、画像読取装置６０と自動原稿送り装置７０が配置されている。これらは従来周知のものと同様のものであり、詳しい説明は省略する。
【００１９】
また第２給紙装置２０の上部には手差し給紙装置８０が配置されている。この装置も従来周知のものと同様であり、詳しい説明は省略する。なお、給紙装置の数および搭載される給紙トレイの数などは図示の例のものに限定されず、任意であり、また用紙を上流から下流へ搬送する用紙搬送路も複数配置することも可能である。加えて、給紙装置１０、２０の上部に配置される、画像読取装置６０、自動原稿送り装置７０、手差し給紙装置８０を逆転させたり、あるいはいずれかの装置を多数個配置したり、あるいは配置しないようにしたりすることも可能であり、図示の例にはまったく限定されない。
【００２０】
図２は、上述のような画像形成装置５０や第１の給紙装置１０と第２の給紙装置２０等に設ける用紙搬送部１を示す斜視図であり、図２（Ａ）は用紙搬送部１を装置本体３内に収納した状態を、図２（Ｂ）は用紙搬送部１を装置本体３から引き出した状態を示す。用紙搬送部１は、図に示すように、略水平に配され、用紙搬送部１でジャム（用紙の詰まり）が発生した場合、ユーザーが視認しつつ処理できるようにするという観点から用紙搬送部１を引き出すことができるようになっている。
【００２１】
また図３に示すように、用紙搬送部１は上ガイド板部２を備えており、この上ガイド板部２を可動側とすることで、ユーザーが姿勢を低くすることなく容易にジャム紙を除去する作業を行えるようにしてある。ただし、上ガイド板部２の開動作に伴い、引き出された用紙搬送部１が装置本体３内へ収納される方向に動き出す恐れがあり、これは作業性を損ねることになる。
【００２２】
すなわち、図４に示すように、上ガイド板部２を開けようとする力（以下、ガイド板開力という）Ｆは、分力であるガイド板開力Ｆｘとガイド板開力Ｆｙとに分解できるが、上ガイド板部２の開動作によって生じるガイド板開力Ｆｘが用紙搬送部１の装置本体３内への収納方向（図中矢印で用紙搬送部１の下側に示してある）と同一方向となるため、上述のように、引き出された用紙搬送部１が装置本体３内へ収納される方向に動き出す恐れがある。図中Ｒは上ガイド板部２の開閉支点である。
【００２３】
そこで本実施例では、図５に示すように、用紙搬送部１を引き出すことで機能するストッパ５を有し、引き出した用紙搬送部１を固定し、作業性を損ねないようにしてある。ストッパ５は、この実施例ではレール６内に配置することで機械の小型化にも寄与するようにしてあるが、この例には限定されない。すなわち、本実施例のようなストッパ５を設けることで、ジャム紙除去時に引き出した搬送ユニットを誤って移動させることなく、安全かつ操作性に優れた機械を提供することができ、また機械、装置の小型化を図れる。
【００２４】
ストッパ５は、板バネやゴム等の弾性、バネ性を有するものが好ましく、カシメ等でレール６に締結すればよい。そのような構成とすると、ストッパ５の弾性により、用紙搬送部１を収納する動作によってストッパ５を容易に解除することができる。
【００２５】
図６は本実施例のストッパの具体的な形状、構造例を示す平面図である。図６（Ａ）は、ストッパ５の係合部（以下、搬送部側係合部）５ａが、レール６の端部に設けたレール側係合部６ａを乗り越える前の状態を示す。用紙搬送部１とともにストッパ５が動くため、当然ながら搬送部側係合部５ａも用紙搬送部１の動作方向へ移動するが、用紙搬送部１を引き出している途中ではレール側係合部６ａを乗り越えることは無いため、用紙搬送部１は自由に動ける。
【００２６】
図６（Ｂ）は、搬送部側係合部５ａがレール側係合部６ａを乗り越えようとしている状態の平面図である。すなわち、十分に用紙搬送部１を装置本体３から引き出そうとすると、上述のようにストッパ５がその弾性、バネ性により用紙搬送部１側へ近付くようにたわみ、搬送部側係合部５ａがレール側係合部６ａを乗り越えようとする。
【００２７】
図６（Ｃ）は、搬送部側係合部５ａがレール側係合部６ａを乗り越えた後の状態の平面図である。搬送部側係合部５ａの先端（用紙搬送部１の引き出し方向で言えば後端）には斜面状の段部５ｂと延長部５ｃが形成して有り、この段部５ｂがレール側係合部６ａのレール引出し方向側に位置し、延長部５ｃがレール側係合部６ａの先端部上に位置する。本実施例では、この状態で用紙搬送部１が簡単には装置本体３内側へ戻らないようにストッパ力Ｆｓが用紙搬送部１の引き出し方向と同方向へ働き、ガイド板開力Ｆｘ等の各力を後述のように設定してある。
【００２８】
すなわち、図６（Ｃ）の状態で、かつ上ガイド板２の開き角度にかかわらず、人力などによって搬送部収納力Ｆｏが印加されていない限り、ガイド板開力Ｆｘと搬送部側係合部５ａによるストッパ力Ｆｓとの関係が、｜Ｆｘ｜＜｜Ｆｓ｜の関係を満たすようにすることにより、開いた上ガイド板２の動作によって用紙搬送部１が装置本体３内へ収納されてしまうことが無くなる。
【００２９】
また搬送部収納力Ｆｏが働いて用紙搬送部１が装置本体３内へ収納されるには、｜Ｆｓ｜＜｜Ｆｏ｜となれば、斜面状の段部５ｂがレール側係合部６ａの先端部上端を乗り越え、ストッパ５は解除される。
【００３０】
すなわち、図７のように力が働く形態において、｜Ｆｘ｜＜｜Ｆｓ｜＜｜Ｆｏ｜の関係が成立するように各部の構造、形状、作用力等々を設計、設定すれば、上ガイド板２の開動作で収納部１は収納方向には動かなくなり、ストッパ力Ｆｓ以上の搬送部収納力Ｆｏを加えることによってはじめて用紙搬送部１は収納される方向へ動き得るようになる。
【００３１】
なお、ストッパについては種々公知の機構、構造を採用でき、図示の例には限定されず、上ガイド板２の開閉支点Ｒが装置本体３への奥側（収納方向先頭側）に位置し、かつ｜Ｆｘ｜＜｜Ｆｓ｜＜｜Ｆｏ｜の関係が成立するようにストッパを構成することで、用紙搬送部１においては効率良く、しかも作業途中で閉じる方向へ移動するなどの問題も無く、ジャム紙の除去作業を行えるのである。
【００３２】
また図８に示すように、用紙搬送部１はレール６により十分引き出すことができ、上ガイド板部２は９０°以上に開くことで開状態を保つことができるようになっている。しかしながら先の実施例では、既述の通り用紙搬送部１を収納することでストッパ５が解除されるため、上ガイド板部２はその開状態を保つことができずに閉動作に移行する。ただし、閉動作に移行するには上ガイド板部２と機械のいずれかの箇所とが衝突する必要があるが、上ガイド板部２に傷等が発生する可能性がある。この閉動作による不要な傷等を回避するため、本実施例では図５、図９に示すように、上ガイド板部２に突状部７を設けてある。
【００３３】
さらに、上ガイド板部２の閉動作は自由落下となり、閉時の衝撃により機器の損傷やユーザーの怪我を誘発することになる。そこで、本実施例では、閉時の衝撃を緩和するためのヒンジ８を開閉支点Ｒに設けることでこれら不具合を回避し、安全にガイド板を閉めることができるようにしてある。
【図面の簡単な説明】
【００３４】
【図１】本発明を適用する対象となる画像形成装置の全体の概略図
【図２】用紙の搬送部を示す斜視図
【図３】用紙搬送部が有する上ガイド板部を示す斜視図
【図４】本発明の実施例において、上ガイド板部を開けようとする力について示す側面図
【図５】同じく用紙搬送部を引き出した状態の要部拡大斜視図
【図６】本発明の実施例に用いるストッパの具体的な形状、構造例を示す平面図
【図７】本発明の実施例における各力の作用方向を示す側面図
【図８】上ガイド板部を９０°以上に開き、開状態を保っている状態を示す側面図
【図９】図８のように上ガイド板部を９０°以上に開いた状態における本発明の実施例の状態の要部拡大側面図
【符号の説明】
【００３５】
１：用紙搬送部
２：上ガイド板部
３：装置本体
５：ストッパ
５ａ：搬送部側係合部
５ｂ：斜面状の段部
５ｃ：延長部
６：レール
６ａ：レール側係合部
７：突状部
８：ヒンジ
１０：第１の給紙装置
１１、１２：給紙トレイ
１４：用紙搬送路
１５：中継搬送路
１５ｂ：縦搬送部
１５ａ：水平搬送路
２０：第２の給紙装置
５０：画像形成装置
６０：画像読取装置
７０：自動原稿送り装置
８０：手差し給紙装置
Ｆ：ガイド板開力
Ｆｘ、Ｆｙ：ガイド板開力
Ｆｓ：ストッパ力
Ｆｏ：搬送部収納力
Ｒ：上ガイド板の開閉支点
【図１】
2009057156.tif 000003
【図２】
2009057156.tif 000004
【図３】
2009057156.tif 000005
【図４】
2009057156.tif 000006
【図５】
2009057156.tif 000007
【図６】
2009057156.tif 000008
【図７】
2009057156.tif 000009
【図８】
2009057156.tif 000010
【図９】
2009057156.tif 000011